(57)【要約】【課題】アマチュアスポーツとしてのゴルフの競技性を高めるため、ゴルフプレーヤーの競技性を高める仕組みを構築する。【解決手段】ゴルフプレーヤーがプロトーナメントのようなスコアを競い合うことを実現するシステムを構築する。具体的には、ゴルフプレーヤーがオープンコンペティションなどを利用し、複数回何れかのゴルフ場でプレーしたスコアを登録し、あらかじめ定めた期間のなかで、登録された全参加者の複数回のスコアを総合し、順位付けするシステムを構築する。【選択図】図１
2011146014.tif 000002
【特許請求の範囲】
【請求項１】
複数の参加者がスコアを競い合うバーチャルゴルフトーナメントシステムにおいて、イベントの開催概要、イベント開催期間、トーナメントリーグ、規定のプレー回数を設定登録する手段と、
イベント参加希望者の端末からネットワークを介して参加申込を受け付ける手段と、
参加者のプレー情報、スコア情報、ハンデキャップ情報の入力を受け付ける手段を備え、
入力された前記プレー情報、スコア情報、ハンデキャップ情報を記録する手段と、
参加者がラウンドしたゴルフ場のコースレート及び気象条件からハンデキャップを算出する手段と、
そのハンデキャップをスコアに加減算する手段と、
参加者が規定のプレー回数に達した場合に当該参加者の複数回のスコアを集計する手段と、
規定の期間に達した場合に全参加者の順位付けをする手段を持つことを特徴とするバーチャルゴルフトーナメントシステム。
【請求項２】
ユーザーインターフェースを提供するＷｅｂサーバーと、
イベントの開催概要、開催期間、リーグ及び参加申込情報、並びに入力された参加者のプレー情報、スコア情報、ハンデキャップ情報を蓄積するデータベースと、
入力されたゴルフ場のコースレート及び気象条件からハンデキャップを算出する機能と、そのハンデキャップをスコアに加減算する機能と、参加者が規定のプレー回数に達した場合に当該参加者の規定回数のスコアを集計する機能と、規定の開催期間が終了した場合に全参加者の順位付けをする機能を持つ演算サーバーで構成されたバーチャルゴルフトーナメントシステム。
【請求項３】
複数の参加者がスコアを競い合うバーチャルゴルフトーナメントシステムにおいて、イベントの開催概要、イベント開催期間、トーナメントリーグ、規定のプレー回数を設定登録するステップと、
イベント参加希望者の端末からネットワークを介して参加申込を受け付けるステップと、
参加者のプレー情報、スコア情報、ハンデキャップ情報の入力を受け付けるステップを備え、
入力された前記プレー情報、スコア情報、ハンデキャップ情報を記録するステップと
参加者がラウンドしたゴルフ場のコースレート及び気象条件からハンデキャップを算出するステップと、
そのハンデキャップをスコアに加減算するステップと、
参加者が規定のプレー回数に達した場合に当該参加者の複数回のスコアを集計するステップと、
規定の期間に達した場合に全参加者の順位付けをするステップを、サーバーに実行させるプログラム。
【発明の詳細な説明】
【技術分野】
【０００１】本発明はゴルフに係るスコア集計システムであり、登録したプレーヤーがバーチャルトーナメントにおける自身のスコアと他のプレーヤーのスコア及び順位を知ることができるトーナメントスコア集計システムに関する。
【発明の概要】
【発明が解決しようとする課題】
【０００２】ゴルフプレーヤーは、プレー当日のスコアを追求するが、他のプレーヤーとスコアを競うことや自らのスコアの連続性に乏しく、他のスポーツにあるような競技性に欠ける。【０００３】ゴルフ場の会員となれば、当該ゴルフ場のプレーに対して、スコアから算出したハンデキャップが当該ゴルフ場で付与され、個人の技術スキルが明示され、自らのスコア連続性は担保されることになるが、他のゴルフ場でのプレーに対してスコアの関連性はなく、また競技性にも乏しい。【０００４】競技性を持たせたコンペティションを開催したとしても、そのコンペティションのメンバーだけで競うことに止まる。特許文献１に開示されている複数のコースで複数の日時に開催されるコンペティションを開催しても同様である。【０００５】
【特許文献１】特開２００２−２８８３７９
【０００６】このため、アマチュアスポーツとしてのゴルフの競技性が高まらず、競技志向のプレーヤーにとっては、スポーツとしての競技性に欠けゴルフ技能の向上が滞る結果となる。そこで、ゴルフプレーヤーの競技性を高める仕組みを構築することが課題と言える。
【課題を解決するための手段】
【０００７】本発明は、ゴルフプレーヤーがプロトーナメントのようなスコアを競い合うことを実現するシステムである。【０００８】具体的には、本発明によるバーチャルゴルフトーナメントシステムは、ゴルフプレーヤーがインターネットＷｅｂを利用して、ゴルフ場で開催される誰もが自由に参加できるオープンコンペティションに参加登録する手段を有し、バーチャルゴルフトーナメント発起人が、各地で開催されるオープンコンペティションを選定し、参加者の技能レベルに応じたリーグ制を設ける手段と、参加登録したプレーヤーがリーグを選択し参加申込する手段を備える。【０００９】本システムは、オープンコンペティションに参加したプレーヤーのスコアを登録する手段を有し、参加者は規定のプレー回数（例えば４回）、前記発起人が選定した何れかのゴルフ場でプレーし、そのスコアを基に、他の同様に登録した参加者と競い合うトーナメントを構築する手段を備え、あらかじめ定めた期間のなかで、登録された全参加者の複数回のスコアを総合し、順位付けするスコア算出手段を備える。【００１０】また、本システムは、同一リーグにおいて、複数回開催するオープンコンペティションは同一場所での開催である必要はなく、また同一日である必要もなく、それぞれのゴルフ場のコースレート及び気象条件に応じて、参加者のスコアに加減算することで公平性を保つハンデキャップを算出する手段を備える。
【発明の効果】
【００１１】参加者がスコアを競い合うことにより、ゴルフのスポーツとしての競技性が高まり、さらにはオープンコンペのような誰でも参加できる仕組みを利用することで、一人でも参加するプレーヤーが増加し、ゴルフ産業の発展に寄与する。
【発明を実施するための形態】
【００１２】オープンコンペティションに参加するゴルフプレーヤーが、参加場所、日時、及びスコアの影響を受けることなく、競技性のあるバーチャルゴルフトーナメントに参加するときに用いるシステムである。
【図面の簡単な説明】
【００１３】
【図１】図１は本発明の実施形態のバーチャルゴルフトーナメントシステムの概略構成である。
【００１４】バーチャルゴルフトーナメント発起人が当該トーナメントに参加するゴルフ場を選定し、選定されたゴルフ場は誰でも自由に参加できるオープンコンペティションを開催する。【００１５】バーチャルゴルフトーナメント発起人がバーチャルトーナメントの開催期間を設定（例えば４〜５月、６〜８月、９〜１０月、１１月〜翌３月）し、それぞれに参加者の技能レベルに応じたリーグを設定する。このリーグは技能レベルのみではなく、シニアやレディース、ジュニアといった区分を設定することも可能である。【００１６】バーチャルゴルフトーナメントへの参加者は、自身の端末を操作するなどし、ネットワークを介してバーチャルゴルフトーナメント発起人のシステムに会員情報を登録する。【００１７】会員登録した参加者は、各地で開催予定のバーチャルゴルフトーナメントに選定されたオープンコンペティションに参加するために自身の端末などによりゴルフ場に予約し、本システムに参加者のプレー情報として登録される。【００１８】バーチャルゴルフトーナメントシステム管理者は、参加者がプレーした後に当該スコアを本システムから入力し、そのスコア情報はデータベースに登録される。【００１９】参加者は、開催期間中に設定した規定のプレー回数（例えば４回）、何れかのゴルフ場でプレーし、その都度、本システム管理者は参加者のスコアを本システムから入力し、そのスコア情報はデータベースに登録される。【００２０】本システム管理者は、ゴルフ場毎に設定したコースレートやプレー時の気象条件（風速など）を本システムから入力し、そのハンデキャップ情報はデータベースに登録される。【００２１】前記のデータベースに登録された参加者のプレー情報、スコア情報、ハンデキャップ情報を基に、本システムの演算機能により参加者のスコアにハンデキャップを加減算し、そのスコア情報はデータベースに登録される。【００２２】あらかじめ定めたバーチャルトーナメントの開催期間のなかで、参加者が規定のプレー回数に達した場合に、本システムの演算機能により当該参加者の集計を行い、そのスコア情報はデータベースに登録される。【００２３】また、あらかじめ定めたバーチャルトーナメントの開催期間が終了した時点で、本システムの演算機能により全参加者の集計を行い、そのスコア情報はデータベースに登録される。【００２４】さらに、あらかじめ定めたバーチャルトーナメントの開催期間に規定のプレー回数に達した参加者全員のスコアを総合し、本システムの演算機能により順位付けを行い、その集計情報はデータベースに登録される。
【図１】
2011146014.tif 000003